【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
底壁と、
前記底壁の第１縁に立設されている端壁と、
前記第１縁と交差する方向に延びる前記底壁の第２縁に立設されている側壁と、
前記端壁の側縁に外壁折曲線を介して連設されており、隣接した前記側壁の内側面に固定されている縁壁と、
前記縁壁の内側面に配置されている折返壁と、
前記端壁の内側面に固定されている内壁と、
前記折返壁に第１折曲線を介して連設されているとともに、前記内壁に第２折曲線を介して連設されている補強壁とを備え、
前記補強壁は、前記折返壁と前記内壁との間の前記端壁側から内向きに突出する突出頂部を有し、
前記第１折曲線は、前記突出頂部よりも前記外壁折曲線側に位置されているとともに、前記外壁折曲線に対して間隔をあけて配置されていることを特徴とする包装箱。
【請求項２】
前記第１折曲線から前記第２折曲線までの前記補強壁の全長は、前記外壁折曲線から第１折曲線までの間隔と、前記外壁折曲線から第２折曲線までの間隔とを加えた寸法と同一であることを特徴とする請求項１に記載の包装箱。
【請求項３】
前記補強壁の前記第１および第２折曲線の間に、これらと平行に延びる第３折曲線が設けられていることを特徴とする請求項１または請求項２に記載の包装箱。
【請求項４】
請求項１に記載の包装箱を自動製函する製函装置であって、
前記内壁または前記端壁の前記内壁が重畳する部分に接着剤を塗布する第１塗布部と、
前記縁壁に対して前記折返壁を折り曲げ、前記折返壁に連続する前記内壁を前記端壁に固着する固着部と、
前記縁壁または前記側壁の前記縁壁が重畳する部分に接着剤を塗布する第２塗布部と、
前記端壁に対して前記縁壁を折り曲げ、前記補強壁の両側の前記第１および第２折曲線を屈曲させて前記補強壁を内向きに突出させ、ついで、前記底壁に対して前記端壁を折り曲げた後、前記底壁に対して前記側壁を折り曲げ、前記縁壁と前記側壁とを固着する成型部と
を備えることを特徴とする製函装置。
【手続補正２】
【補正対象書類名】明細書
【補正対象項目名】０００７
【補正方法】変更
【補正の内容】
【０００７】
前記課題を解決するため、本発明の包装箱は、底壁と、前記底壁の第１縁に立設されている端壁と、前記第１縁と交差する方向に延びる前記底壁の第２縁に立設されている側壁と、前記端壁の側縁に外壁折曲線を介して連設されており、隣接した前記側壁の内側面に固定されている縁壁と、前記縁壁の内側面に配置されている折返壁と、前記端壁の内側面に固定されている内壁と、前記折返壁に第１折曲線を介して連設されているとともに、前記内壁に第２折曲線を介して連設されている補強壁とを備え、前記補強壁は、前記折返壁と前記内壁との間の前記端壁側から内向きに突出する突出頂部を有し、前記第１折曲線は、前記突出頂部よりも前記外壁折曲線側に位置されているとともに、前記外壁折曲線に対して間隔をあけて配置されている。
【手続補正３】
【補正対象書類名】明細書
【補正対象項目名】０００８
【補正方法】変更
【補正の内容】
【０００８】
この包装箱は、補強壁が端壁および側壁の角部において、端壁側から内向きに突出しているため、組立状態での耐圧強度を確実に向上できる。また、外壁折曲線に対して第１折曲線がオフセットされているため、縁壁を側壁に貼着する前の状態では、端壁および縁壁に対して、折返壁、補強壁および内壁を平坦に重ねた状態にすることができる。この状態で搬送および保管することにより、広い占有スペースを必要としない。そして、組立時には、底壁に対して端壁および側壁を折り曲げるとともに、端壁に対して縁壁を折り曲げる。そして、縁壁を側壁の内側面に配置して固着するだけで、組み立てることができる。即ち、各壁の折曲状態を保持した状態で、２以上の箇所を固着する必要がないため、組立作業性を向上できる。
【手続補正４】
【補正対象書類名】明細書
【補正対象項目名】０００９
【補正方法】変更
【補正の内容】
【０００９】
また、補強壁は、平面視が三角形状をなすように突出するため、積層により補強した場合と比較すると高耐圧強度に設定できる。即ち、補強壁を端壁側から突出させているため、包装箱の側壁側は、内面側に縁壁と折返壁が重畳した三層構造になる。端壁側は、単一層の端壁の内面側から補強壁が突出する。そのため、側壁および端壁の全体を偏りなく補強できる。
【手続補正５】
【補正対象書類名】明細書
【補正対象項目名】００１０
【補正方法】変更
【補正の内容】
【００１０】
前記第１折曲線から前記第２折曲線までの前記補強壁の全長は、前記外壁折曲線から第１折曲線までの間隔と、前記外壁折曲線から第２折曲線までの間隔とを加えた寸法と同一である。このようによれば、縁壁を側壁に貼着する前の展開状態で、端壁および縁壁に対して、折返壁、補強壁および内壁を確実に平坦に重ねた状態にすることができる。
【手続補正６】
【補正対象書類名】明細書
【補正対象項目名】００１１
【補正方法】変更
【補正の内容】
【００１１】
前記補強壁の前記第１および第２折曲線の間には、これらと平行に延びる第３折曲線が設けられていることが好ましい。このようにすれば、第３折曲線を頂部として、端壁から補強壁を確実に突出させることができる。
【手続補正７】
【補正対象書類名】明細書
【補正対象項目名】００１２
【補正方法】変更
【補正の内容】
【００１２】
包装箱のブランクは、例えば前記縁壁に対して前記折返壁を折り曲げ、前記折返壁に連続する前記内壁を前記端壁に固着する。その後、前記端壁に対して前記縁壁を折り曲げ、前記補強壁の両側の前記第１および第２折曲線を屈曲させて前記補強壁を内向きに突出させる。ついで、前記底壁に対して前記端壁を折り曲げた後、前記底壁に対して前記側縁を折り曲げ、前記縁壁と前記側壁とを固着することにより組み立てられる。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】変更
【補正の内容】
【００２３】
本発明の包装箱は、内向きに突出する補強壁を備えるため、確実に耐圧強度を向上できる。包装箱は、端壁と縁壁との間の外壁折曲線に対して、補強壁の境界である第１折曲線がオフセットされ、組立（折曲）前の状態では、端壁または縁壁に補強壁が平坦に重なった状態になるため、搬送時および保管時に占有スペースを削減できる。組立時には、端壁、側壁および縁壁を折り曲げて、側壁と縁壁とを固着するだけで組み立てることができるため、作業性を向上できる。